(57)【特許請求の範囲】
【請求項１】
ガイド体上を摺接する滑動部材が滑動体本体に取り付けられる画像読み取りユニットの滑動体であって、
滑動部材の上部が、滑動体本体に設けられた孔内に挿入される挿入部になっており、その挿入部には、孔内を通過して滑動体本体に係止するように撓む係止部が設けられて、係止部の撓み方向が摺動方向とは異なる方向になっていることを特徴とする画像読み取りユニットの滑動体。
【請求項２】
前記孔は、滑動部材の摺動方向に沿って長くなっており、滑動部材の挿入部は、孔の断面形状と同様の断面形状になっている請求項１に記載の画像読み取りユニットの滑動体。
【請求項３】
前記滑動部材には、挿入部が孔内に挿入された際に、係止部とともに滑動体本体を挟み込むフランジ部が設けられている請求項１に記載の画像読み取りユニットの滑動体。
【請求項４】
ガイド体上を摺接する滑動部材が滑動体本体に取り付けられる画像読み取りユニットの滑動体であって、
滑動部材の上部が、滑動体本体に設けられた孔内に挿入され滑動体本体に位置決めされる挿入部になっており、孔は、滑動部材の摺動方向に沿って長くなっており、滑動部材の挿入部は、孔の断面形状と同様の断面形状になっている画像読み取りユニットの滑動体。
【発明の詳細な説明】
【０００１】
【発明の属する技術分野】
本発明は、複写機、プリンタ、ファクシミリ等の画像形成装置に設けられた画像読取ユニット、スキャナ装置等において、原稿画像を読み取るために、原稿画像に沿って走査される画像読み取りユニットの滑動体に関する。
【０００２】
【従来の技術】
デジタル式の複写機では、原稿載置台に載置された原稿の画像を画像読取ユニットによって光学的に読み取るように、通常、原稿載置台に沿って走査される一対の滑動体が設けられている。一方の滑動体には、原稿載置台上に載置された原稿に対して光を照射する光源と、光源に照射された原稿からの反射光を反射する反射鏡とが設けられており、他方の滑動体には、一方の滑動体の反射鏡からの光を反転させる一対の反射鏡が設けられている。各滑動体は、原稿載置台に沿ってそれぞれ同じ方向に走査されるようになっており、一方の滑動体に設けられた光源から原稿載置台上の原稿に照射された光は、原稿によって反射されて、走査方向とは反対側に設けられた他方の滑動体の一対の反射鏡にて１８０°にわたって反射され、所定位置に固定された光電変換素子の光電変換層にて受光されるようになっている。各滑動体は、原稿載置台に沿って走査される間に、原稿にて反射されて光電変換素子にて受光される光の光路長が一定になるように、それぞれの走査速度が設定されている。
【０００３】
各滑動体は、原稿載置台上の原稿を全面にわたって露光し得るように、走査方向とは直交する方向に長く延びており、各端部が、走査方向に沿って配置された各ガイド体の平坦面に案内されるようになっている。
【０００４】
【発明が解決しようとする課題】
滑動体の各端部には、各ガイド体の平坦面上に摺接する滑動部材がそれぞれ取り付けられている。各滑動部材は、各ガイド体に対する摩擦係数が小さな樹脂等によって構成されており、滑動体本体に対して、通常、ビス等によってそれぞれ固定されている。
【０００５】
しかしながら、このような構成の滑動体では、滑動部材を滑動体本体の所定位置にビス等によって固定するために、組み立てに時間を要し、その結果、経済性が損なわれるという問題がある。また、長時間にわたってガイド体上を各滑動部材が摺接すると、各ガイド体に対する摩擦力によって、各滑動部材が磨耗したり、ビス等によって固定された部分に大きな力が加わって、各滑動部材が破損するおそれもある。滑動部材が破損すると、その交換作業に手間取り、補修作業に時間を要するためにサービス性が悪くなるという問題もある。
【０００６】
本発明は、このような問題を解決するものであり、その目的は、ガイド体上を摺接する滑動部材を滑動体本体に対して容易に取り付けることができ、しかも、滑動部材の位置決めが適切にでき、さらには、滑動部材に不要な振動を与えたり、不安定な摺接による摺接音（ヒビリ音）の発生を防止できる画像読み取りユニットの滑動体を提供することにある。
【０００７】
【課題を解決するための手段】
本発明の滑動体は、ガイド体上を摺接する滑動部材が滑動体本体に取り付けられる画像読み取りユニットの滑動体であって、滑動部材の上部が、滑動体本体に設けられた孔内に挿入される挿入部になっており、その挿入部には、孔内を通過して滑動体本体に係止するように撓む係止部が設けられて、係止部の撓み方向が摺動方向とは異なる方向になっている。
また、前記孔は、滑動部材の摺動方向に沿って長くなっており、滑動部材の挿入部は、孔の断面形状と同様の断面形状になっている。
更に、前記滑動部材には、挿入部が孔内に挿入された際に、係止部とともに滑動体本体を挟み込むフランジ部が設けられている。
また、本発明の滑動体は、ガイド体上を摺接する滑動部材が滑動体本体に取り付けられる画像読み取りユニットの滑動体であって、滑動部材の上部が、滑動体本体に設けられた孔内に挿入され滑動体本体に位置決めされる挿入部になっており、孔は、滑動部材の摺動方向に沿って長くなっており、滑動部材の挿入部は、孔の断面形状と同様の断面形状になっている。
【００１０】
【発明の実施の形態】
以下、本発明の実施の形態を、図面に基づいて詳細に説明する。
【００１１】
図１は、本発明の滑動体が設けられたデジタル複写機の一例を示す概略構成図である。このデジタル複写機は、上部に水平に配置された透明ガラス製の原稿載置台２１と、この原稿載置台２１に載置された原稿の画像を読み取る画像読取ユニット１０と、画像読取ユニット１０によって画像が読み取られた原稿画像を、電子写真プロセスによって形成する電子写真プロセスユニット４０と、原稿載置台２１の上側に取り付けられた自動原稿送り装置５０とを有している。
【００１２】
自動原稿送り装置５０は、所定の原稿トレイ上にセットされた複数枚の原稿を順次、原稿載置台２１上に供給するようになっており、原稿載置台２１上に供給された原稿は、原稿載置台２１に対向した面の画像が、画像読取ユニット１０によって読み取られるようになっている。自動原稿送り装置５０は、画像が読み取られた原稿を、原稿載置台２１から排出して、次の原稿を原稿載置台２１上に供給する。また、この自動原稿送り装置５０は、原稿の両面の画像が画像読取ユニット１０によって読み取られるように、一旦、原稿載置台２１上に供給された原稿を、反転された状態で、再度、原稿載置台２１上に供給し得るように構成されている。
【００１３】
画像読取ユニット１０は、第１滑動体１１および第２滑動体１２が、原稿載置台２１に沿って走査されることによって、原稿載置台２１上に載置された原稿の画像が、集光用レンズ体１４を介して、光電変換素子１５によって光学的に読み取られるようになっており、光電変換素子１５にて読み取られた原稿の画像データが、レーザー書き込みユニット３０のメモリに一旦記憶されるようになっている。レーザー書き込みユニット３０は、メモリに記憶された画像データーに基づいて、変調レーザー光を電子写真プロセスユニット４０の感光体ドラム４１に発振する。
【００１４】
レーザー書き込みユニット３０から発振される変調レーザー光は、電子写真プロセスユニット４０の感光体ドラム４１に照射されるようになっている。感光体ドラム４１は、帯電器４２によって感光層が帯電された状態で、レーザー書き込みユニット３０から発振される変調レーザー光が照射されて露光されるようになっており、レーザー光が露光されることにより、感光層に静電潜像が形成される。そして、感光層に形成された静電潜像が、現像装置４３によって現像されて、感光層上にトナー像が形成される。
【００１５】
感光体ドラム４１には、複数の給紙トレイ２２のいずれかに設けられたプリント用紙、あるいは手差しトレイ２３に設けられたプリント用紙が感光体ドラム４１に向かって供給されるようになっており、このプリント用紙に、感光体ドラム４１の感光層上に形成されたトナー像が、転写装置４４によって転写されるようになっている。トナー像が転写された感光体ドラム４１の表面に残留するトナーは、クリーニング装置４５によって除去される。
【００１６】
プリント用紙上に転写されたトナー像は、定着装置４６によって、プリント用紙上に定着される。そして、トナー像が定着されたプリント用紙は、片面のみに画像が形成される場合には、ソーター２５に排出される。これに対して、プリント用紙の両面に画像をそれぞれプリントする場合には、プリント用紙は、両面複写ユニット２６に供給された後に、表裏を反転された状態で、再度、感光体ドラム４１に供給されて、画像が形成されていない面にも画像が形成されて、ソーター２５に排出される。
【００１７】
図２は、画像読取ユニット１０の平面概略図、図３は、その要部の正面図である。画像読取ユニット１０は、原稿載置台２１に沿って走査される一対の第１滑動体１１および第２滑動体１２を有している。第１滑動体１１および第２滑動体１２は、長方形状に構成された原稿載置台２１における幅方向に沿って延びる滑動体本体をそれぞれ有しており、各滑動体本体のそれぞれの端部が、長手方向に沿った原稿載置台２１の各側縁部の下方にそれぞれ配置されている。第２滑動体１２は、原稿載置台２１における長手方向の一方の端部の下方に位置しており、第１滑動体１１は、第２滑動体１２に対して原稿載置台２１の中央寄りに位置している。
【００１８】
原稿載置台２１の各側縁部の下方には、長板状をした上下一対のガイド体１３が配置されており、各ガイド体１３の上面が平坦なガイド面になっている。各滑動体本体のそれぞれの端部には、ガイド体１３に対して低摩擦係数の樹脂材料によって構成された滑動部材１１ｆおよび１２ｆがそれぞれ取り付けられており、第１滑動体１１の各滑動部材１１ｆが上側のガイド体１３上を摺接し、第２滑動体１２の各滑動部材１２ｆが、下側のガイド体１３上を摺接する。
【００１９】
第１滑動体１１の滑動体本体は、原稿載置台２１の幅方向に沿った延びる長板状をしたフレーム１１ａと、このフレーム１１ａ上に設けられた光源としてのキセノンランプ１１ｂとを有している。キセノンランプ１１ｂは、フレーム１１ａ上に、原稿載置台２１の幅方向に沿った状態で、第２滑動体１２に近接した側部上に配置されている。フレーム１１ａ上における第２滑動体１２から遠方側の側部には、ランプリフレクター１１ｃがキセノンランプ１１ｂに沿った状態で配置されている。キセノンランプ１１ｂのアパーチャから照射された光は、原稿載置台２１上に載置された原稿に対して、直接照射されるとともに、ランプリフレクター１１ｃによって反射された後に照射されるようになっている。
【００２０】
フレーム１１ａにおけるキセノンランプ１１ｂとランプリフレクター１１ｃとの間の幅方向の中央部には、原稿載置台２１上に載置された原稿から反射される光を通過させるスリット１１ｄが、キセノンランプ１１ｂの長手方向に沿って設けられている。フレーム１１ａの下方には、スリット１１ｄを通過した光を第２滑動体１２に向かって反射する反射鏡１１ｅが、フレーム１１ａと一体に設けられている。
【００２１】
フレーム１１ａにおける各ガイド体１３上に対向する各端部には、各ガイド体１３の上面の平坦なガイド面を摺接する滑動部材１１ｆがそれぞれ取り付けられている。図４（ａ）は、フレーム１１ａの一方の端部を分解して示す斜視図である。フレーム１１ａの一方の端部には、第１滑動体１１の走査方向である各ガイド体１３の長手方向に適当な間隔をあけて一対の貫通孔１１ｇが設けられており、他方の端部におけるガイド体１３の長手方向中央部にも１つの貫通孔１１ｇが設けられている。そして、各貫通孔１１ｇに滑動部材１１ｆがそれぞれ取り付けられている。各貫通孔１１ｇは、図４（ｂ）に示すように、走査方向Ａに沿う側が長手方向となった小判形状になっており、従って、この小判形状の長手方向の各端部内周面がそれぞれ円弧面になるとともに、小判形状における長手方向に沿った各内側面が相互に平行した平坦面になっている。
【００２２】
図５（ａ）は、滑動部材１１ｆの平面図、図５（ｂ）は、その正面図、図５（ｃ）は、その側面図、図５（ｅ）は、その要部の拡大図である。滑動部材１１ｆは、フレーム１１ａの貫通孔１１ｇ内を挿通する上部の挿入部１１ｓと、この挿入部１１ｓの下側に水平に設けられた円板状のフランジ部１１ｔと、このフランジ部１１ｔの下側に設けられた摺接部１１ｕとを有しており、各ガイド体１３に対する摩擦係数が小さな樹脂材料によって、一体的に構成されている。
【００２３】
滑動部材１１ｆの挿入部１１ｓは、貫通孔１１ｇの断面形状とほぼ同様の断面小判形状を有した柱状体となっている。柱状体である挿入部１１ｓは、走査方向Ａ側の各端部が、それぞれ上下方向にわたって円弧面に形成されており、また、走査方向に直角な方向に位置する各側面は、上下方向にわたってそれぞれ平坦に形成されている。
【００２４】
挿入部１１ｓの平坦な各側面には、可撓性の係止部１１ｘが設けられている。各係止部１１ｘは、挿入部１１ｓの上端部から下方に向かって順次側方に突出した水平な三角柱状にそれぞれ構成されており、図５（ｄ）に示すように、フランジ部１１ｔ側の端部と各側面との間に切欠部１１ｗが設けられている。従って、各係止部１１ｘの先端部は、挿入部１１ｓの各側面と切欠部１１ｗを挟んで片持ち状態になった片持ち部１１ｙになっている。従って、各係止部１１ｘの片持ち部１１ｙは、挿入部１１ｓの各側面に接近する方向に、それぞれ撓み得る構成になっている。
【００２５】
柱状体に構成された挿入部１１ｓの各側面間の距離（幅寸法）は、挿入部１１ｓが貫通孔１１ｇ内に挿入された際に、係止部１１ｘの片持ち部１１ｙが撓んで貫通孔１１ｇを通過することができるように、貫通孔１１ｇの幅方向寸法よりも若干小さくなっている。挿入部１１ｓに設けられた各係止部１１ｘは、貫通孔１１ｇを挿通してフレーム１１ａの上方に突出した際に、フランジ部１１ｔとの間でフレーム１１ａを挟持した状態になり、これにより、滑動部材１１ｆがフレーム１１ａに対して上下方向に位置決めされた状態で保持される。
【００２６】
挿入部１１ｓの各端部の円弧面は、貫通孔１１ｇの円弧面に当接するようになっており、これにより、滑動体本体のフレーム１１ａに対して滑動部材１１ｆが走査方向Ａにがたつくことが防止されている。さらに、挿入部１１ｓの断面形状が、貫通孔１１ｇの断面形状と同様の小判形状になっているために、貫通孔１１ｇに挿入された挿入部１１ｓは、貫通孔１１ｇ内にて垂直軸回りに回転するおそれがない。
【００２７】
円板状のフランジ部１１ｔの下側に設けられた摺接部１１ｕは、フランジ部１１ｔと同心状態で、半球状に下方に突出している。そして、摺接部１１ｕの半球状に突出した下端部が、上側に位置する各ガイド体１３の平坦なガイド面上にそれぞれ摺接するようになっている。
【００２８】
このような構成の第１滑動体１１の側方に配置された第２滑動体１２の滑動体本体は、図２および図３に示すように、第１滑動体１１のフレーム１１ａに設けられた反射鏡１１ｅにて反射される光を受光して下方に反射させる第１反射鏡１２ａと、この第１反射鏡１２ａにて反射された光をさらに第１滑動体１１の下方に向かって水平に反射させる第２反射鏡１２ｂとを有している。第１反射鏡１２ａおよび第２反射鏡１２ｂは、相反する方向に傾斜した状態で、それぞれの反射面を相互に対向するように配置されて、ブラケット１２ｃに保持されている。ブラケット１２ｃは、各ガイド体１３間にて、原稿載置台２１の幅方向に沿った水平な直方体状に構成されており、第１滑動体１１側の側面が開放されている。
【００２９】
図２に示すように、ブラケット１２ｃの左右の各側面には、下側に配置された各ガイド体１３上に延出するように水平なフレーム１２ｄがそれぞれ設けられている。そして、一方のフレーム１２ｄに一対の滑動部材１２ｆが取り付けられるとともに、他方のフレーム１２ｄに、１つの滑動部材１２ｆが取り付けられている。各滑動部材１２ｆの構成は、第１滑動体１１のフレーム１１ａに取り付けられた各滑動部材１１ｆと同様になっており、また、各フレーム１２ｄに対する各滑動部材１２ｆの取付構造も、第１滑動体１１のフレーム１１ａに対する各滑動部材１１ｆの取付構造と同様になっている。
【００３０】
原稿載置台２１における中央部の下方には、第２滑動体１２に設けられた第１反射鏡１２ａおよび１２ｂにて反射された光を集光する集光レンズ体１４が設けられており、集光レンズ体１４にて集光された光が、集光レンズ体１４を挟んで第２滑動体１２とは反対側に配置された光電変換素子（ＣＣＤ）１５にて受光されるようになっている。
【００３１】
原稿載置台２１における長手方向の各端部には、原稿載置台２１の幅方向に沿った回転軸１６がそれぞれ設けられており、一方の回転軸１６は、走査用モーター１９の回転が伝達されて、正転および逆転されるようになっている。各回転軸１６の端部にはプーリー１７がそれぞれ取り付けられており、それぞれのガイド体１３における各端部に設けられたプーリー１７に、ワイヤー１８ａがそれぞれ巻き掛けられている。そして、各ワイヤー１８ａには、第１滑動体１１における滑動体本体の各端部がそれぞれ取り付けられている。
【００３２】
第２滑動体１２の各端部には、動滑車１２ｇがそれぞれ設けられており、この動滑車１２ｇに、ワイヤー１８ｂがそれぞれ巻き掛けられている。各ワイヤー１８ｂの各端部は、第１滑動体１１に向かって延出しており、一方の端部は、第１滑動体１１にそれぞれ取り付けられている。各ワイヤー１８ｂの他方の端部は、第１滑動体１１の走査方向よりも遠方側において固定されている。
【００３３】
このような構成の画像読取ユニット１０では、走査用モーター１９が正転されると、第１滑動体１１の各滑動部材１１ｆが、各ガイド体１３上を摺動して、図２において矢印Ａで示す方向に走査される。そして、第１滑動体１１が走査されると、その第１滑動体１１に牽引されて、第２滑動体１２に設けられた一対の動滑車１２ｇが牽引されて、第２滑動体１２も、同方向に走査される。この場合、一対の動滑車１２ｇにて牽引される第２滑動体１２は、第１滑動体１１の走査速度の１／２の速度で走査されることになる。
【００３４】
第１滑動体１１は、原稿載置台２１上に設けられた原稿の全面にわたって走査されて、その走査の間に、第１滑動体１１に設けられたキセノンランプ１１ｂの光によって原稿の画像が全面にわたって露光される。原稿の露光光は、第１滑動体１１の反射鏡１１ｅによって第２滑動体１２に向かって反射されて、第２滑動体１２に設けられた一対の反射鏡１２ａおよび１２ｂによって、再度、反射された後に、集光レンズ体１４を介して、光電変換素子１５に受光される。
【００３５】
このとき、第２滑動体１２は、第１滑動体１１の走査速度の１／２の速度で走査されるために、第１滑動体１１が原稿載置台２１上の原稿を全体にわたって走査したときには、第２滑動体１２は、第１滑動体１１の走査距離の１／２の距離しか移動せず、キセノンランプ１１ｂから原稿に照射されて固定状態になった光電変換素子１５にて受光される原稿の露光光の光路長は、常時、一定になっている。
【００３６】
第１滑動体１１および第２滑動体１２が走査される際には、各ガイド体１３に対して摩擦係数が小さな樹脂材料によって構成された各滑動部材１１ｆおよび１２ｆが、各ガイド体１３上を摺接するために、第１滑動体１１および第２滑動体１２は、それぞれ、円滑に走査される。
【００３７】
また、第１滑動体の各滑動部材１１ｆは、フレーム１１ａに設けられた各貫通孔１１ｄ内に挿入部１１ｓおよび各係止部１１ｘを挿入して、各係止部１１ｘをフレーム１１ａの上面に係止させるだけで、それぞれ、位置決めされた状態で抜け止めされるために、各滑動部材１１ｆを、フレーム１１ａに対して、それぞれ所定の姿勢に位置決めした状態で容易に取り付けることができる。
【００３８】
しかも、各滑動部材１１ｆは、滑動体の移動方向である走査方向Ａにおいて、遊びの少ない状態で滑動体本体に係止されているために、走査方向Ａにおけるがたつきがなく、滑動体本体を各ガイド体１３に摺接させた際に、滑動体本体が振動することを防止することができる。また、係止部１１ｘの片持ち部１１ｗは、滑動体の移動方向とは直交する方向に撓むようになっているために、片持ち部１１ｗが滑動体の移動方向と同じ方向に撓む場合に比して、滑動部材１１ｆは、滑動体本体に対して傾斜しにくくなっており、これによっても、滑動体本体が移動する際の振動の発生を防止することができる。
【００３９】
さらに、滑動体本体とガイド体１３とによって滑動部材１１ｆが挟持されており、滑動部材１１ｆのフランジ部１１ｔが滑動体本体に当接しているために、滑動部材１１ｆの傾斜が、より確実に防止される。
【００４０】
このように、滑動体本体に滑動部材１１ｆを係合させる際に、滑動体の移動方向である走査方向Ａに対して直角方向に係合部１１ｘを撓まて、滑動体の移動方向とは異なる方向に逃げるようにしているために、滑動体本体が滑動部材１１ｆをガイド体１３に摺接して移動する際の滑動体本体の振動が低減される。
【００４１】
第２滑動体１２の各滑動部材１２ｆも同様の構造になっているために、各滑動部材１２ｆが各フレーム１２ｃに対して、所定の姿勢に位置決めした状態に容易に取り付けることができ、しかも、各フレーム１２ｃから容易に外れるおそれがなく、さらに、第２滑動体１２も、振動することが防止されて安定的な走査ができる。
【００４２】
【発明の効果】
本発明の滑動体は、このように、滑動部材が、滑動本体に対して、所定の姿勢に位置決めされた状態で容易に取り付けることができ、しかも、ガイド体上を摺接する滑動部材が滑動体本体に対して容易に外れるおそれがなく、また、ガイド体上を振動が抑制されて安定した状態で滑動することができる。
【図面の簡単な説明】
【図１】本発明の滑動体を有する画像読取ユニットが設けられたデジタル複写機の概略構成図である。
【図２】そのデジタル複写機に設けられた画像読取ユニットの概略平面図である。
【図３】その画像読取ユニットの概略正面図である。
【図４】（ａ）は、その画像読取ユニットに設けられた本発明の第１滑動体の要部を分解して示す斜視図、（ｂ）は、その第１滑動体のフレームに設けられた貫通孔の平面図である。
【図５】（ａ）は、その第１滑動体に設けられた滑動部材の平面図、（ｂ）は、その滑動部材の正面図、（ｃ）は、その滑動部材の側面図、（ｄ）は、その滑動部材の要部の拡大図である。
【符号の説明】
１０  画像読取ユニット
１１  第１滑動体
１１ａ  フレーム
１１ｂ  キセノンランプ
１１ｃ  反射鏡
１１ｄ  スリット
１１ｅ  反射鏡
１１ｆ  滑動部材
１１ｇ  貫通孔
１１ｓ  挿入部
１１ｔ  フランジ部
１１ｕ  摺接部
１１ｘ  係止部
１２  第２滑動体
１２ａ  第１反射鏡
１２ｂ  第２反射鏡
１２ｃ  ブラケット
１２ｄ  フレーム
１２ｆ  滑動部材
１３  ガイド体
１４  集光レンズ体
１５  光電変換素子
２１  原稿載置台
３０  レーザー書き込みユニット
４０  電子写真プロセスユニット
５０  自動原稿送り装置
【図１】
0003654491.tif 000002
【図２】
0003654491.tif 000003
【図３】
0003654491.tif 000004
【図４】
0003654491.tif 000005
【図５】
0003654491.tif 000006